(57)【要約】【課題】別々に発行されるプリントカードおよびＩＣカードを確実かつ短時間に２枚１組に組み合わせることが可能なカード発行システムを提供すること。【解決手段】印刷用のプリントカードとＩＣ処理用のＩＣカードとを２枚１組のＩＤカードとして発行するシステムであって、データベースに入力された印刷データをプリントカードに印刷処理を行い、印刷データに対応するように入力されたＩＣデータをＩＣカードに書込み処理を行うか、またはデータベースに入力された印刷データをプリントカードに印刷処理を行い、ＩＣカードから読取ったＩＣデータを該印刷データに対応するようにデータベースに登録することで、プリントカードとＩＣカードとを関連付ける。その際、プリントカードを印刷した後にプリンタの待機部に待機させ、関連付けが終了したことをトリガーとしてプリントカードをプリンタから排出する。【選択図】図９
2010277520.tif 000002
【特許請求の範囲】
【請求項１】
ホストコンピュータと印刷装置とＩＣリーダライタ装置とからなり、
第１のカードに対して印刷処理を行い、ＩＣチップを搭載した第２のカードに対してデータの読込みないし書込み処理（以下、ＩＣ処理という）を行うカード発行システムにおいて、
前記ホストコンピュータは、データベースに前記第１のカードに印刷するための印刷データと該印刷データに対応するＩＣデータを登録するための登録手段と、
前記印刷装置に対して印刷処理命令を送信する印刷処理命令送信手段と、
前記ＩＣリーダライタ装置に対してＩＣ処理命令を送信するＩＣ処理命令送信手段と、
前記第１のカードと前記第２のカードとを関連付ける関連付け手段と、
前記関連付けが終了したことを検知する検知手段と、
前記検知手段の検知結果に応じて前記第１のカードを排出するためのカード排出命令を前記印刷装置に送信するカード排出命令送信手段と、を備え、
前記印刷装置は、前記第１のカードを前記印刷装置内に設けられた搬送パス上で搬送する搬送手段と、
前記搬送パスに設けられ、前記第１のカードに対して印刷処理を行う印刷手段と、
印刷処理終了後の前記第１のカードを前記搬送パス上に設けられた待機部で待機させる待機手段と、
前記カード排出命令に応じて前記第１のカードを排出する排出手段と、を備え、
前記関連付け手段は、前記登録手段によってデータベースに登録された前記ＩＣデータを、前記ＩＣ処理命令送信手段によって前記ＩＣリーダライタ装置に送信し、前記第２のカードに対して書込み処理をさせるか、
または、前記ＩＣ処理命令送信手段によって前記ＩＣリーダライタ装置に対して送信された前記ＩＣ処理命令により、前記第２のカードから読込まれたＩＣデータを前記登録手段によってデータベースに登録することを特徴とするカード発行システム。
【請求項２】
前記ＩＣ処理命令送信手段は、前記印刷装置における前記第１のカードに対する印刷処理の処理状態に応じて前記ＩＣ処理命令を前記ＩＣリーダライタ装置に送信することを特徴とする請求項１に記載のカード発行システム。
【請求項３】
前記ＩＣリーダライタ装置は前記印刷装置に内蔵されており、前記搬送パス上の前記第１のカードおよびユーザによって前記印刷装置の筐体の外部からかざされる前記第２のカードに対するＩＣ処理が可能に配置されたことを特徴とする請求項１または２に記載のカード発行システム。
【請求項４】
さらに、前記第１のカードがＩＣチップを搭載したＩＣカードか否かを判別するカード判別手段を備え、前記第１のカードがＩＣカードであると判別された場合は、前記第１のカードに対して印刷処理およびＩＣ処理を行って排出することを特徴とする請求項１ないし３のいずれか１項に記載のカード発行システム。
【請求項５】
ホストコンピュータと印刷装置とＩＣリーダライタ装置からなり、
前記ホストコンピュータから発信される印刷コマンドにより前記印刷装置で第１のカードの表面に対して印刷する印刷処理を行い、ＩＣコマンドにより前記ＩＣリーダライタ装置で第２のカードに搭載されたＩＣチップに対してデータの読込みないし書込みからなるＩＣ処理を行うカード発行システムに用いられる印刷装置において、
前記第１のカードを前記印刷装置内に設けられた搬送パス上で搬送する搬送手段と、
前記搬送パスに設けられ、前記第１のカードの表面に対して印刷処理を行う印刷手段と、
印刷処理終了後の前記第１のカードを前記搬送パス上に設けられた待機部で待機させる待機手段と、
前記ホストコンピュータから送信されるカード排出命令に応じて前記第１のカードを排出する排出手段と、を備え、
前記待機手段は、前記第1のカードに対する印刷処理が終了してから前記カード排出命令を受信するまで前記第1のカードを前記待機部に待機させることを特徴とする印刷装置。
【請求項６】
前記ＩＣリーダライタ装置は前記印刷装置に内蔵されており、前記搬送パス上の前記第１のカードおよびユーザによって前記印刷装置の筐体の外部からかざされる前記第２のカードに対するＩＣ処理が可能に配置されたことを特徴とする請求項５に記載の印刷装置。
【請求項７】
ホストコンピュータと印刷装置とＩＣリーダライタ装置とからなり、
第１のカードに対して印刷処理を行い、ＩＣチップを搭載した第２のカードに対してデータの読込みないし書込み処理（以下、ＩＣ処理という）を行うカード発行システムに用いられるホストコンピュータに、
データベースに前記第１のカードに印刷する印刷データを入力するための入力ステップと、
前記印刷装置に対して前記印刷データを前記第１のカードに印刷するための印刷処理命令を送信する印刷処理命令送信ステップと、
前記印刷装置における前記第１のカードに対する印刷処理の処理状態に応じて、前記ＩＣリーダライタ装置に対して、前記第２のカードからＩＣデータを読込むためのＩＣ処理命令を送信するＩＣ処理命令送信ステップと、
前記ＩＣ処理命令送信ステップによって前記ＩＣリーダライタ装置に対して送信された前記ＩＣ処理命令により、前記第２のカードから読込まれたＩＣデータを前記データベースに登録することで前記第１のカードと前記第２のカードとを関連付ける関連付けステップと、
前記関連付けが終了したことを検知する検知ステップと、
前記検知手段の検知結果に応じて前記第１のカードを排出するためのカード排出命令を前記印刷装置に送信するカード排出命令送信ステップと、
を実行させるプログラム。
【請求項８】
ホストコンピュータと印刷装置とＩＣリーダライタ装置とからなり、
第１のカードに対して印刷処理を行い、ＩＣチップを搭載した第２のカードに対してデータの読込みないし書込み処理（以下、ＩＣ処理という）を行うカード発行システムに用いられるホストコンピュータに、
データベースに前記第１のカードに印刷する印刷データと該印刷データに対応するＩＣデータを入力するための入力ステップと、
前記印刷装置に対して、前記印刷データを前記第１のカードに印刷するための印刷処理命令を送信する印刷処理命令送信ステップと、
前記印刷装置における前記第１のカードに対する印刷処理の処理状態に応じて、前記ＩＣリーダライタ装置に対して、前記ＩＣデータを前記第２のカードに書込むためのＩＣ処理命令を送信するＩＣ処理命令送信ステップと、
前記第２のカードに対するＩＣ処理が終了したことを検知する検知ステップと、
前記検知手段の検知結果に応じて前記第１のカードを排出するためのカード排出命令を前記印刷装置に送信するカード排出命令送信ステップと、
を実行させるプログラム。
【請求項９】
ホストコンピュータと印刷装置とＩＣリーダライタ装置とからなり、
第１のカードに対して印刷処理を行い、ＩＣチップを搭載した第２のカードに対してデータの読込みないし書込み処理（以下、ＩＣ処理という）を行うカード発行システムにおいて、
前記ホストコンピュータは、データベースに前記第１のカードに印刷するための印刷データと該印刷データに対応するＩＣデータを登録するための登録手段と、
前記印刷装置に対して印刷処理命令を送信する印刷処理命令送信手段と、
前記ＩＣリーダライタ装置に対してＩＣ処理命令を送信するＩＣ処理命令送信手段と、
前記第１のカードと前記第２のカードとを関連付ける関連付け手段と、
前記印刷処理、前記ＩＣ処理および前記関連付けが終了したことを検知する検知手段と、
前記検知手段の検知結果に応じて前記第１のカードおよび前記第２のカードを排出するためのカード排出命令を前記印刷装置および前記ＩＣリーダライタ装置に送信するカード排出命令送信手段と、を備え、
前記印刷装置は、前記第１のカードを前記印刷装置内に設けられた搬送パス上で搬送する搬送手段と、
前記搬送パスに設けられ、前記第１のカードの表面に対して印刷処理を行う印刷手段と、
印刷処理終了後の前記第１のカードを前記搬送パス上に設けられた待機部で待機させる待機手段と、
前記カード排出命令に応じて前記第１のカードを排出する排出手段と、を備え、
前記ＩＣリーダライタ装置は、前記第２のカードを前記ＩＣリーダライタ装置内に設けられた第２搬送パス上で搬送する搬送手段と、
前記第２搬送パスに設けられ、前記第２のカードに対してＩＣ処理を行うＩＣ処理手段と、
ＩＣ処理終了後の前記第２のカードを前記第２搬送パス上に設けられた第２待機部で待機させる待機手段と、
前記カード排出コマンドに応じて前記第２のカードを排出する排出手段と、を備え、
前記関連付け手段は、前記登録手段によってデータベースに登録された前記ＩＣデータを、前記カード発行命令送信手段によって前記ＩＣリーダライタ装置に送信し、前記第２のカードに対して書込み処理をさせるか、
または、前記カード発行命令送信手段によって前記ＩＣリーダライタ装置に対して送信された前記ＩＣ処理命令により、前記第２のカードから読込まれたＩＣデータを前記登録手段によってデータベースに登録することを特徴とするカード発行システム。
【発明の詳細な説明】
【技術分野】
【０００１】
本発明は、印刷処理用のカードに対してプリンタで印刷処理を行い、ＩＣ処理用のＩＣカードに対してＩＣリーダライタでＩＣ処理を行うカード発行システムに関するものである。
【背景技術】
【０００２】
ＩＣカードは、ＩＣチップを内蔵したカードから構成され、磁気ストライプカードに比べて大容量のデータを扱うことができ、また高いセキュリティを確保できることから、個人識別用のＩＤカードやプリペイドカード等として使用されている。また、カード表面に印刷をする機能を持つカードプリンタと、カードにデータを書込みおよび読取りをするための（外付けまたはカードプリンタに内蔵した）ＩＣリーダライタとを用いて、ＩＤカードを発行するカード発行システムは従来から知られている（例えば、特許文献１参照）。このようなカード発行システムによって発行されたＩＤカードは、例えば会社で社員証として使用されたり、店のメンバーズカードとして使用されたりしており、使用しなくなったＩＤカードは他人に不正に使用されないように破棄している。
【０００３】
しかし、ＩＣチップが搭載されたＩＣカードは高価なため、ＩＣチップが搭載されていない印刷用カード（以下プリントカードという。）とＩＣチップを搭載したＩＣカードとを発行し、２枚１組のＩＤカードとして利用する場合がある。このような場合、安価なプリントカードを使い捨てにして、高価なＩＣカードはデータを書き換えることで再利用している。
【０００４】
そこで、上述した２枚１組のＩＤカードを発行する際は、以下の工程でＩＤカードを発行している。まず、（１）カードプリンタを用いてプリントカードに印刷して排出する。（２）ＩＣリーダライタを用いてＩＣカードにＩＣ処理を行う（（１）とは別工程）。（３）ＩＣ処理の際にモニタに表示される内容を見て、ＩＣ処理をされたＩＣカードに対応するプリントカード（（１）の工程で印刷されて排出されたプリントカード）を探してプリントカードとＩＣカードとを２枚１組にセットする。
【０００５】
しかし、上述した方法で２枚１組にセットすると、別々に処理されたプリントカードとＩＣカードとを組み合わせる作業は、ユーザがＩＣカードに格納されたデータを参照し、既に印刷して排出されたプリントカードの中からＩＣカードに対応するカードを探していたため、プリントカードとＩＣカードとを組み合わせる時間がかかり利便性が悪い。また作業者がモニタの内容とカード券面に印刷された情報から組み合わせを判断していたために、作業ミスにより間違った組み合わせのカード組が作成される恐れがある。
【０００６】
なお、機密情報が印刷された印刷物をバッファトレイに一時的に保持し、ユーザがＩＣカードやパスワード等を用いて認証を行い、印刷物を受け取る正当なユーザであることが認証されたら印刷物を受け取ることができる画像形成装置は既に知られている（例えば、特許文献２参照）。
【先行技術文献】
【特許文献】
【０００７】
【特許文献１】特開２００１−６３８９３号公報
【特許文献２】特開２００６−６２１９４号公報
【発明の概要】
【発明が解決しようとする課題】
【０００８】
そこで本発明は上記事案に鑑み、別々に発行されるプリントカードおよびＩＣカードを２枚１組に確実に組み合わせることができ、さらに従来のようなプリントカードとＩＣカードとを組み合わせるための作業が不要で利便性の高いカード発行システムを提供することを目的とする。
【０００９】
なお、特許文献２に示す画像形成装置では、既に発行されたＩＣカードによって認証を行っているもので、本発明のようにＩＣカードとプリントカードとを両方発行して２枚１組にセットして運用するものとは異なるものである。つまり、本発明にて印刷物を受け取るトリガーとして用いるＩＣカードは、装置にかざす時点においてＩＣカード内の情報と印刷物との関連性は無く、ＩＣカード内の特定の情報と印刷物の受け取り可否の判断を結びつけることを前提とした従来技術とは異なるものである。
【課題を解決するための手段】
【００１０】
上記課題を解決するために、本発明は、印刷用のプリントカードとＩＣ処理用のＩＣカードとを２枚１組のＩＤカードとして発行するシステムであって、データベースに入力された印刷データをプリントカードに印刷処理を行い、印刷データに対応するように入力されたＩＣデータをＩＣカードに書込み処理を行うか、またはデータベースに入力された印刷データをプリントカードに印刷処理を行い、ＩＣカードから読取ったＩＣデータを該印刷データに対応するようにデータベースに登録することで、プリントカードとＩＣカードとを関連付ける。その際、プリントカードを印刷した後にプリンタの待機部に待機させ、関連付けが終了したことをトリガーとしてプリントカードをプリンタから排出する。
【発明の効果】
【００１１】
本発明によれば、印刷用のプリントカードとＩＣ処理用のＩＣカードとを２枚１組のＩＤカードとして発行するシステムによって別々に発行されたプリントカードとＩＣカードとを組み合わせるタイミングが明確になり、従来のようなプリントカードとＩＣカードとを組み合わせるための作業が不要になる。
【図面の簡単な説明】
【００１２】
【図１】本発明が適用可能な第1実施形態のプリンタ装置が接続可能されたシステム構成図である。
【図２】第1実施形態のプリンタ、ＩＣリーダライタおよび上位装置の制御部等の概略構成を示すブロック図である。
【図３】第1実施形態のプリンタの概略断面図で、搬送パス上のプリントカードに対して印刷処理を行っている状態を示す。
【図４】第1実施形態のＩＣリーダライタとＩＣカードとの間の通信を示すシーケンス図である。
【図５】第1実施形態のアプリケーションをモニタで表示した状態を示し、データベースに印刷データおよびＩＣデータが入力された状態を示した図である。
【図６】データベースに入力されたデータの扱いを示した概念図である。
【図７】第1実施形態のアプリケーションをモニタで表示した状態を示し、データベースに印刷データが入力された状態を示した図である。
【図８】データベースに入力されたデータおよびＩＣカードから読出したデータの扱いを示した概念図である。
【図９】第1実施形態のシステム全体の処理の流れを示すタイミングチャートである。
【図１０】第1実施形態のシステム全体の処理の流れを示すタイミングチャートである。
【図１１】第２実施形態のプリンタの概略断面図である。
【図１２】第２実施形態のプリンタの動作を示したフローチャートである。
【図１３】実施形態のＩＣカードの概略構成を示した図である。
【発明を実施するための形態】
【００１３】
以下、図面を参照して、本発明の実施形態について説明する。
＜システム構成＞
図１に示すように、本形態のカード発行システムは、プリンタ１とＩＣリーダライタ１１が、図示を省略するインターフェースを介して、上位装置１０（例えば、パーソナルコンピュータ等のホストコンピュータ）に接続され、上位装置１０からプリンタ１およびＩＣリーダライタ１１に印刷処理命令やＩＣ処理命令等を送信することが可能である。
【００１４】
上位装置１０には、一般に、印刷データに使用される画像等を入力する画像入力装置４（例えばカメラやスキャナ等）、上位装置１０に命令やデータを入力するためのキーボードやマウス等の入力装置３、上位装置１０によって生成されたデータや、ＩＣリーダライタ１１によってカードから得られたデータ等の表示を行う液晶ディスプレイ等のモニタ２が接続されている。
【００１５】
＜内部構成＞
次に、プリンタ１、ＩＣリーダライタ１１および上位装置１０の内部の各構成要素について説明する。カード供給部１６は、プリンタ１の一側に着脱自在に設けられ、その内部に印刷用のプリントカードＣ１を積層状に収納可能としており、プリンタ１側に設けられ、図示を省略するモータにより回転駆動する供給ローラ１７が最下位（最下層）のカードを装置内部へと繰り出す。プリンタ１は、筐体２４の内部に（印刷用の）プリントカードＣ１が搬送される搬送パスＰを備えており、供給ローラ１７によってプリントカードＣ１は搬送パスＰに繰り出される。
【００１６】
印刷部２０はプリントカードＣ１の表面に文字や画像等のデータを印刷する。本形態においては、印刷部２０は熱転写プリンタの構成が採用されており、搬送パスＰ上の印刷位置に設けられたプラテンローラ２２に対して進退可能に設けられたサーマルヘッド２１を有している。プラテンローラ２２とサーマルヘッド２１との間には、インク層Ｙ（イエロー）、Ｍ（マゼンタ）、Ｃ（シアン）、Ｂｋ（ブラック）等の複数色が面順次に繰り返されたインクリボンＲが介在しており、インクリボンＲを介してサーマルヘッド２１をプリントカードＣ１に対して圧接ならびに加熱して印刷を行う。
【００１７】
搬送パスＰ上のプリントカードＣ１は、搬送パスＰに設けられた複数の搬送ローラ（対）１８に狭持されて搬送される。搬送ローラ１８はステッピングモータＭの駆動により回転する。なお、搬送パスＰにはカード検出用のセンサ１５が設けられており、センサ１５はプリントカードＣ１の先端が通過したことを検知する。そして、後述する制御部９５はセンサ１５の検知結果とステッピングモータＭの駆動量を参照してプリントカードＣ１の位置を管理する。また、搬送パスＰには印刷後のプリントカードＣ１を一時的に待機させる待機部１４が設けられている。印刷されたプリントカードＣ１は待機部１４に搬送されて停止する。その後上位装置１０からのカード排出命令を受けたらプリントカードＣ１を排出する。なお、搬送パスＰの終端にはカード排出口２３が設けられており、プリントカードＣ１はカード排出口２３より排出される。
【００１８】
ＩＣカードＣ２に対するＩＣ処理は、ユーザがＩＣカードＣ２をＩＣリーダライタ１１にかざすことによって行われる。ＩＣリーダライタ１１はＩＣ制御部１１ａとアンテナ（コイル）１１ｂとで構成されている。本形態のＩＣリーダライタ１１は電磁誘導方式を利用して、非接触でカードとの通信を行う。ＩＣカードＣ２（図１３参照）はＩＣチップ３０とアンテナ（コイル）３１が搭載されており、カードＣのアンテナ３１とＩＣリーダライタのアンテナ１１ｂとの間の誘導起電力を用いて通信を行う。まず、ＩＣリーダライタ１１のアンテナ１１ｂに電流を流して、アンテナ１１ｂに対して垂直方向に磁界を発生させる。次に、この磁界をカードＣのアンテナ３１が受けるとアンテナ３１に起電力が発生し、アンテナ３１に電流が流れることでＩＣチップ３０に電源が供給される。さらに、ＩＣリーダライタ１１は発生した磁界に特定のデータ(コマンド）が変調された信号を乗せて発信し、カードＣは信号を受信することで通信を行う。同様に、カードＣのアンテナ３１に電流が流れることで磁界が発生し、その磁界に乗せてＩＣリーダライタ１１に信号を発信している。
【００１９】
ＩＣリーダライタ１１は上位装置１０からＩＣ処理命令を受信すると、アンテナ１１ｂから応答要求信号を発信する。ユーザがＩＣカードＣ２をＩＣリーダライタ１１にかざし、ＩＣカードＣ２が応答要求信号を受信すると応答要求信号に従ってレスポンス信号を発信し、ＩＣリーダライタ１１はレスポンス信号を受信する。これにより、ＩＣリーダライタ１１の通信範囲内にＩＣカードＣ２が存在することを検出する（以下、応答処理という）。その後、ＩＣリーダライタ１１はＩＣカードＣ２に対して特定の番号を照会して認証を行い、認証されたカード以外とは通信を行わないようにする（以下、カード認証処理という）。ＩＣカードＣ２が認証されたら、そのＩＣカードＣ２に対して上位装置１０の命令に従ってデータの書込みまたは読込み処理を行う（以下、リードライト処理という）（図４参照）。
【００２０】
上位装置１０は汎用のパーソナルコンピュータにアプリケーション５０とプリンタドライバ５２がインストールされている。アプリケーション５０はプリントカードＣ１に印刷する印刷データやＩＣカードＣ２に書込むＩＣデータ等を入力するためのデータベース５１を備えている。図４はアプリケーション５０の画面をモニタ２で表示した図である。ユーザはアプリケーション５０を開き、データベース５１に印刷データとＩＣデータを入力する。その後、発行したいデータにチェックを入れて、発行開始ボタンを押す。こうすることで、プリンタ１に対して印刷データをプリントカードＣ１に印刷させるための印刷処理命令が送信され、ＩＣリーダライタ１１に対してＩＣデータをＩＣカードＣ２に書込ませるためのＩＣ処理命令が送信される。これにより、プリンタ１でプリントカードＣ１に対して印刷データを印刷し、ＩＣリーダライタ１１でＩＣカードＣ２に対してＩＣデータが書込まれる（図５、６参照）。
【００２１】
なお、ＩＣカードＣ２に対するＩＣ処理は、上述したようにＩＣデータを書込む場合と、ＩＣカードに格納されているデータをＩＣリーダライタ１１で読み出してデータベース５１に登録する場合とがある。この場合、ユーザはデータベース５１に印刷データを入力し、発行したいデータにチェックを入れて発行ボタンを押す。こうすることでプリンタに対して印刷処理命令を送信し、ＩＣリーダライタ１１には、ＩＣカードＣ２からＩＣデータを読み出すためのＩＣ処理命令が送信される。そして、プリンタ１でプリントカードＣ１に対して印刷データを印刷し、ＩＣリーダライタ１１でＩＣカードＣ２に格納されたＩＣデータを読み出して、このＩＣデータを上位装置１０に送信し、ＩＣデータを印刷データに対応づけるようにデータベースに登録する（図７、８参照）。
【００２２】
なお、印刷処理命令は一度プリンタドライバ５２を介して、プリンタ１が処理可能なコマンドに変換されてからプリンタ１に送信される。また、アプリケーション５０またはプリンタドライバ５２はプリンタ１による印刷処理の処理状態を監視し、プリントカードＣ１への印刷が終了したらＩＣ処理命令をＩＣリーダライタ１１に送信する。
【００２３】
次に、プリンタ１およびＩＣリーダライタ１１の制御および電気系統について説明する。プリンタ１は、プリンタ装置１全体の動作制御を行う制御部９５を有し、ＩＣリーダライタ１１は、ＩＣリーダライタ１１の制御を行うＩＣ制御部１１ａを有している。また、プリンタ１およびＩＣリーダライタ１１はそれぞれ商用交流電源から各機構部および制御部等を駆動／作動可能な直流電源に変換する電源部９０を有している。
【００２４】
＜制御部＞
図２に示すように、制御部９５は、プリンタ装置１の全体の制御処理を行うマイクロコンピュータ９５ｂ（以下、マイコン９５ｂと略称する。）を備えている。マイコン９５ｂは、中央演算処理装置として高速クロックで作動するＣＰＵ、プリンタ装置１の基本制御動作（プログラムおよびプログラムデータ）が記憶されたＲＯＭ、ＣＰＵのワークエリアとして働くＲＡＭおよびこれらを接続する内部バスで構成されている。マイコン９５ｂには外部バスが接続されている。外部バスには、上位装置１０の制御部との通信を行うための図示を省略したインターフェース、プリントカードＣ１に印刷すべき印刷記録データ等を一時的に格納するバッファメモリ９５ａが接続されている。
【００２５】
また、外部バスには、センサ１５等の各種センサからの信号を制御するセンサ制御部９５ｃ、各モータに駆動パルスや駆動電力を送出するモータドライバ等を制御するアクチュエータ制御部９５ｄ、サーマルヘッド２１の熱エネルギーを制御するサーマルヘッド制御部９５ｅ、および、表示部１９を制御するための表示制御部９５ｆが接続されている。センサ制御部９５ｃは発光素子、受光素子からなるカード検出センサ１５および他の図示を省略するセンサに、アクチュエータ制御部９５ｄはステッピングモータＭおよび他の図示しないモータ、アクチュエータ等に、サーマルヘッド制御部９５ｅはサーマルヘッド５１に、操作表示制御部９５ｆはオペパネ部５にそれぞれ接続されている。
【００２６】
また、ＩＣリーダライタ１１もプリンタ１と同様に、ＩＣリーダライタ１１の制御を行うＩＣ制御部１１ａを備えている。ＩＣ制御部１１ａもメモリとマイコンを有し、上位装置１０の制御部と通信を行い、上位装置１０の命令に従って動作する。そして、ＩＣ制御部１１ａはアンテナ１１ｂに対してカードＣとの通信を行うための制御を行う。
【００２７】
＜動作＞
以下、本形態の上位装置１０、プリンタ１およびＩＣリーダライタ１１の処理フローについて説明する。図９、１０はシステム全体の処理の流れを示すタイミングチャートである。なお、図９はＩＣカードＣ２に対する処理がＩＣデータを書込む場合のタイミングチャートで、図１０はＩＣカードＣ２に対する処理がＩＣカードＣ２に格納されているＩＣデータを読込む場合のタイミングチャートである。
【００２８】
図９の場合、まずユーザによってアプリケーション５０のデータベース５１に印刷データおよびＩＣデータが入力され発行ボタンが押されたら、プリンタ１に対して印刷命令を送信する。このとき、ＩＣ処理命令はまだＩＣリーダライタ１１に送信せずにアプリケーション５０で待機させておく。その後プリンタ１においてプリントカードＣ１を供給し、印刷部２０でアプリケーション５０から送信された印刷データをプリントカードＣ１に印刷する。プリンタ１は、印刷処理が終了したらプリントカードＣ１を待機部１４で待機させ、印刷終了通知をアプリケーション５０に送信する。
【００２９】
その後アプリケーション５０はＩＣリーダライタ１１に対してＩＣ処理命令を送信し、ＩＣリーダライタ１１は応答処理を開始する。このとき、アプリケーション５０はユーザに対してＩＣカードＣ２をＩＣリーダライタ１１にかざすことを促すように、モニタ２に「ＩＣカードをＩＣリーダライタにかざしてください」と表示する。ユーザがＩＣカードＣ２をＩＣリーダライタ１１にかざして、応答処理および認証処理が完了したら、ＩＣリーダライタ１１はアプリケーション５０から受け取ったＩＣデータをＩＣカードＣ２に対して書込み処理をする。
【００３０】
ＩＣカードＣ２に対する書込み処理が終了したら、アプリケーション５０はプリンタ１に対してプリントカードＣ１を排出するためのカード排出命令を送信する。カード排出命令を受信したプリンタ１はプリントカードＣ１を排出する。ここで、ユーザは排出されたプリントカードＣ１と書込み処理されたＩＣカードＣ２とを２枚１組でカードホルダにセットする。
【００３１】
一方図１０の場合、まずユーザによってアプリケーション５０のデータベース５１に印刷データが入力され発行ボタンが押されたら、プリンタ１に対して印刷命令を送信する。このとき、ＩＣ処理命令はまだＩＣリーダライタ１１に送信せずにアプリケーション５０で待機させておく。その後プリンタ１においてプリントカードＣ１を供給し、印刷部２０でアプリケーション５０から送信された印刷データをプリントカードＣ１に印刷する。プリンタ１は、印刷処理が終了したらプリントカードＣ１を待機部１４で待機させ、印刷終了通知をアプリケーション５０に送信する。
【００３２】
その後アプリケーション５０はＩＣリーダライタ１１に対してＩＣ処理命令を送信し、ＩＣリーダライタ１１は応答処理を開始する。このとき、アプリケーション５０はユーザに対してＩＣカードＣ２をＩＣリーダライタ１１にかざすことを促すように、モニタ２に「ＩＣカードをＩＣリーダライタにかざしてください」と表示する。ユーザがＩＣカードＣ２をＩＣリーダライタ１１にかざして、応答処理および認証処理が完了したら、ＩＣリーダライタ１１はアプリケーション５０の命令に従ってＩＣカードＣ２に格納されているＩＣデータ（ここでは、ＩＣカードＣ２の製造番号）を読込み、アプリケーション５０に送信する。ＩＣデータを受け取ったアプリケーション５０は印刷データに対応させるようにデータベース５１にＩＣデータを登録する。
【００３３】
ＩＣデータの登録が終了したら、アプリケーション５０はプリンタ１に対してプリントカードＣ１を排出するためのカード排出命令を送信する。カード排出命令を受信したプリンタ１はプリントカードＣ１を排出する。ここで、ユーザは排出されたプリントカードＣ１と読込み処理されたＩＣカードＣ２とを２枚１組でカードホルダにセットする。
【００３４】
以上の作業により、プリントカードＣ１とＩＣカードＣ２が関連付けされて、２枚１組のＩＤカードとして運用可能になる。
【００３５】
（第２実施形態）
次に、本発明の第２実施形態について説明する。なお、第１実施形態の構成と同一の部分には同じ符号を付して説明を省略する。第２実施形態では、ＩＣリーダライタ１１がプリンタ１に内蔵されている。図１１に示すように、ＩＣリーダライタ１１はプリンタ１の搬送パスＰと筐体２４の天板との間に設けられている。筐体２４の天板の一部には上述した磁界を通過させる材質で構成されたカードかざし部３３が設けられており、ユーザはカードかざし部３３にＩＣカードＣ２をかざすことによりＩＣカードＣ２に対してＩＣ処理が可能になっている。また、ＩＣリーダライタ１１は非接触でＩＣチップと通信を行うため、搬送パス上のプリントカードＣ１がＩＣチップ３０を搭載している場合、搬送パスＰ上の通信部１２でプリントカードＣ１に対してＩＣ処理が可能となっている。
【００３６】
このとき、搬送パスＰに供給されたプリントカードＣ１がＩＣチップ３０を搭載しているか否かを判別し、ＩＣチップ３０を搭載している場合はプリントカードＣ１に対してＩＣ処理および印刷処理を行い、１枚のＩＤカードとして発行する。一方、プリントカードＣ１がＩＣチップ３０を搭載していない場合は、プリントカードＣ１に対して印刷処理を行い、ユーザによってカードかざし部３３にかざされたＩＣカードＣ２に対してＩＣ処理を行い、２枚１組のＩＤカードとして発行する。
【００３７】
プリントカードＣ１がＩＣチップ３０を搭載しているか否かの判別は以下の方法で行う。まず、搬送パスＰ上の通信部１２にプリントカードＣ１を搬送し、ＩＣリーダライタ１１で応答処理を行う。このときプリントカードＣ１からのレスポンス信号が有る場合はプリントカードＣ１にＩＣチップ３０が搭載されていると判別する。一方、プリントカードＣ１からのレスポンス信号が無い場合はプリントカードＣ１にＩＣチップ３０は搭載されていないと判別する。
【００３８】
プリントカードＣ１にＩＣチップ３０が搭載されていると判別された場合は、従来の手法でプリントカードＣ１にＩＣ処理を行い、その後印刷処理を行って排出される。なお、ＩＣ処理については第１実施形態に記載したとおり、ユーザがデータベースに入力したＩＣデータを書込む場合と、ＩＣチップ３０に格納されているＩＣデータを読込んでデータベースに登録する場合とがある。
【００３９】
一方、プリントカードＣ１にＩＣチップ３０が搭載されていないと判別された場合は、第１実施形態と同様の処理を行う（なお、第１実施形態との違いは、ユーザがＩＣカードＣ２をかざす場所が独立したＩＣリーダライタ１１か、プリンタ１のカードかざし部３３であるかの違いのみで、その他の構成は同一であるため説明を省略する）。
【００４０】
＜効果等＞
本形態のカード発行システムは、印刷用のプリントカードＣ１とＩＣ処理用のＩＣカードＣ２とを２枚１組のＩＤカードとして発行するシステムであって、データベースに入力された印刷データをプリントカードＣ１に印刷処理を行い、印刷データに対応するように入力されたＩＣデータをＩＣカードＣ２に書込み処理を行うか、またはデータベースに入力された印刷データをプリントカードＣ１に印刷処理を行い、ＩＣカードＣ２から読取ったＩＣデータを該印刷データに対応するようにデータベースに登録することで、プリントカードＣ１とＩＣカードＣ２とを関連付ける。その際、プリントカードＣ１を印刷した後にプリンタ１の待機部１４に待機させ、関連付けが終了したことをトリガーとしてプリントカードＣ１をプリンタ１から排出することによって、別々に発行されたプリントカードＣ１とＩＣカードＣ２とを確実に組み合わせることができ、従来のようなプリントカードＣ１とＩＣカードＣ２とを組み合わせるための作業が簡略化される。
【００４１】
また、アプリケーション５０では、ユーザからのカード発行命令の後にＩＣリーダライタ１１に対するＩＣ処理命令を一旦ストップしておき、プリントカードＣ１に対する印刷処理が終了してからＩＣ処理命令を送信することで、ＩＣリーダライタ１１のＩＣ処理を可能な状態にしている。これにより、ＩＣカードＣ２に対するＩＣ処理が終了してからプリントカードＣ１が排出するまでの時間が短くなり、プリントカードＣ１とＩＣカードＣ２とを組み合わせるタイミングがより明確となる。その際、さらにユーザに対してモニタ２に「ＩＣカードをＩＣリーダライタにかざしてください」と表示するため、ユーザがＩＣカードＣ２をＩＣリーダライタ１１にかざしてＩＣカードＣ２に対してＩＣ処理を行うタイミングが明確となる。
【００４２】
なお、ＩＣ処理を可能な状態にするタイミングを印刷処理が終了した後であると例示したが、印刷処理が終了する間際から開始してもよい。例えば、印刷処理がＹ・Ｍ・Ｃ・Ｂｋの四色をプリントカードＣ１に印刷する場合、Ｂｋの印刷を開始したタイミングでＩＣ処理命令をＩＣリーダライタ１１に送信してもよい。
【００４３】
また、本形態のＩＣリーダライタ１１はユーザがＩＣカードＣ２をかざすことによってＩＣ処理を行うが、ＩＣカードＣ２を自動的に供給したり、ユーザがＩＣカードＣ２を差し込むことで供給したりして、ＩＣ処理が終了したら排出される構成を取ってもよい。このような場合、プリントカードＣ１に対する印刷処理と、ＩＣカードＣ２に対するＩＣ処理が終了し、プリントカードＣ１とＩＣカードＣ２との関連付けが終了したらプリントカードＣ１およびＩＣカードＣ２を排出するようにしてもよい。これにより、プリンタ１とＩＣリーダライタ１１とからそれぞれ排出されたプリントカードＣ１およびＩＣカードＣ２は２枚１組で運用されるＩＤカードであるため、プリントカードＣ１とＩＣカードＣ２とを組み合わせる作業は不要である。
【００４４】
なお、プリントカードＣ１とＩＣカードＣ２を組み合わせる際は２枚１組でカードホルダに入れることを例示したが、プリントカードＣ１はプラスチックなどのカード形状である必要は無い。例えば、粘着層を有したシール状のシートの表面に印刷処理を行い、ＩＣカードＣ２に印刷されて排出されたシートを貼り付けてもよく、印刷可能な材質であれば何でもよい。また、本形態の印刷部２０はインクリボンを用いた熱転写方式であると例示したが、カードやシート等の媒体に印刷ができればよい。
【００４５】
また、アプリケーションからの発行開始の指示（図５、図７）は、カード1枚毎に行う必要はなく、発行が必要な複数のデータに対してチェックを行い、まとめて発行開始の指示をしても良い。このときユーザがプリントカードＣ１に印刷される情報に応じてＩＣリーダライタ１１にかざすＩＣカードＣ２を選択する必要は無く、ＩＣリーダライタ１１が処理可能な状態になったら（モニタ２で「ＩＣカードをかざしてください」と表示されたら）任意のＩＣカードＣ２をＩＣリーダライタ１１にかざしてＩＣカードＣ２に対してＩＣ処理を実行する。その後排出されたプリントカードＣ１と組み合わせることで、プリントカードＣ１とＩＣカードＣ２との組み合わせが確実となる。
【００４６】
なお、ユーザにＩＣ処理を促す際はモニタ２に表示する例を示したが、ＩＣリーダライタ１１にモニタやＬＥＤ等の光源を設けて、モニタに表示させたり光源を発光させたりしてもよい。また、第２実施形態のプリンタ１に設けられた表示部１９を用いてユーザにＩＣ処理を促してもよい。
【産業上の利用可能性】
【００４７】
本発明は、印刷用のプリントカードとＩＣ処理用のＩＣカードとを２枚１組のＩＤカードとして別々に発行されたプリントカードとＩＣカードとを組み合わせるタイミングが明確となるカード発行システムを提供するものであるため、カード発行システムの製造、販売に寄与するので、産業上の利用可能性を有する。
【符号の説明】
【００４８】
１  プリンタ装置
１０  上位装置（ホストコンピュータ）
１１  ＩＣリーダライタ
１１ａ  ＩＣ制御部
１１ｂ  アンテナ
１４  待機部
１５  センサ
１８  搬送ローラ
１９  表示部
２０  印刷部
２３  カード排出口
２４  筐体
３０  ＩＣチップ
３１  アンテナ
３３  カードかざし部
５０  アプリケーション
５１  データベース
９５  制御部
Ｃ１  プリントカード
Ｃ２  ＩＣカード
Ｐ  搬送パス
Ｍ  モータ
【図１】
2010277520.tif 000003
【図２】
2010277520.tif 000004
【図３】
2010277520.tif 000005
【図４】
2010277520.tif 000006
【図５】
2010277520.tif 000007
【図６】
2010277520.tif 000008
【図７】
2010277520.tif 000009
【図８】
2010277520.tif 000010
【図９】
2010277520.tif 000011
【図１０】
2010277520.tif 000012
【図１１】
2010277520.tif 000013
【図１２】
2010277520.tif 000014
【図１３】
2010277520.tif 000015